(57)【要約】【課題】冷蔵庫の感温筒の固定装置に関し、冷蔵庫の運転時間を一定に制御し、庫内温度を適正に制御することを図る。【解決手段】冷却板１１の突起部１１ａの内箱３側に感温筒７の先端が冷却板１１の穴１１ｂに位置するように配置したので、感温体８の全長が一定していなくても、冷却板１１と接している感温筒７内部の感温体８の長さは一定となり、感温体８の温度検知が安定することにより、冷蔵庫の運転時間を一定に制御し、庫内温度が安定して正に制御できる。【選択図】図１
2005172296.tif 000002
【特許請求の範囲】
【請求項１】
内部に貯蔵室を形成する内箱の断熱壁内側に、穴部を有する冷却板を配置し、前記冷却板に冷却パイプを取り付けるとともに、前記冷却板と前記内箱の温度を検知する感温体が内部に挿入された感温筒を有する冷蔵庫において、前記感温筒の先端が前記冷却板の穴部に位置するように配置したことを特徴とする冷蔵庫。
【請求項２】
前記冷却板の穴部の上下に前記冷却パイプを配置したことを特徴とする請求項１に記載の冷蔵庫。
【発明の詳細な説明】
【技術分野】
【０００１】
本発明は、冷却パイプを取り付けた冷却板を内箱に取り付けた冷蔵庫に関する。
【背景技術】
【０００２】
従来の冷蔵庫の感温筒の固定装置としては、内箱の外周面に冷却パイプを取り付け、この冷却パイプに前記感温筒を固定する感温筒固定部材を取り付け、前記内箱の温度を検出する感温筒を固定したものがある。（例えば、特許文献１参照）
以下、図面を参照しながら上記従来の冷蔵庫の感温筒の固定装置を説明する。
【０００３】
図５は、従来の冷蔵庫の感温筒の固定装置の正面図である。図５に示すように、従来の冷蔵庫の感温筒の固定装置は、冷蔵庫を形成する冷蔵庫本体１と、貯蔵室２と、冷蔵庫本体１を構成する内箱３、外箱４、発泡ウレタン等の断熱材５と、蒸発器として作用する冷却パイプ６と、感温筒７と、感温体８と、リード線９と、固定部材１０とから構成されている。
【０００４】
以上のように構成された冷蔵庫の感温筒の固定装置について、以下その動作を説明する。
【０００５】
まず、冷媒が冷却パイプ６で蒸発することにより内箱４が冷却され、固定部材１０に固定された感温筒７内部に挿入されている感温体８がこの内箱４の温度を検知し、冷蔵庫の運転時間を制御することより、庫内温度を適正に制御している。
【特許文献１】特開平１１−１０８５５２号公報
【発明の開示】
【発明が解決しようとする課題】
【０００６】
しかしながら、上記従来の構成は、感熱体８の全長が一定でないため、感温筒７内部に挿入されている感熱体８の長さが一定せず、感温体８の温度検知が不安定となることによって、冷蔵庫の運転時間が長くなったり短くなったりし、庫内温度が適正に制御できないという欠点があった。
【０００７】
本発明は従来の課題を解決するもので、冷蔵庫の運転時間を一定にし、庫内温度を適正に制御できる冷蔵庫の感温筒の固定装置を提供することを目的とする。
【課題を解決するための手段】
【０００８】
上記課題を解決するため、本発明の冷蔵庫は、内部に貯蔵室を形成する内箱の断熱壁内側に、穴部を有する冷却板を配置し、前記冷却板に冷却パイプを取り付けるとともに、前記冷却板と前記内箱の温度を検知する感温体が内部に挿入された感温筒を有する冷蔵庫において、前記感温筒の先端が前記冷却板の穴部に位置するように配置したものであり、冷却板と接している感温筒内部に挿入されている感温体の長さは一定となり、感温体の温度検知が安定することにより、冷蔵庫の運転時間を一定に制御し、庫内温度が適正に制御できる。
【発明の効果】
【０００９】
本発明の冷蔵庫によれば、内部に貯蔵室を形成する内箱の断熱壁内側に、穴部を有する冷却板を配置し、前記冷却板に冷却パイプを取り付けるとともに、前記冷却板と前記内箱の温度を検知する感温体が内部に挿入された感温筒を有する冷蔵庫において、前記感温筒の先端が前記冷却板の穴部に位置するように配置したことにより、冷却板と接している感温筒内部に挿入されている感温体の長さは一定となり、感温体の温度検知が安定することで、冷蔵庫の運転時間を一定に制御し、庫内温度が適正に制御できる。
【発明を実施するための最良の形態】
【００１０】
請求項１に記載の発明は、内部に貯蔵室を形成する内箱の断熱壁内側に、穴部を有する冷却板を配置し、前記冷却板に冷却パイプを取り付けるとともに、前記冷却板と前記内箱の温度を検知する感温体が内部に挿入された感温筒を有する冷蔵庫において、前記感温筒の先端が前記冷却板の穴部に位置するように配置したものであり、冷却板と接している感温筒内部に挿入されている感温体の長さは一定となり、感温体の温度検知が安定することにより、冷蔵庫の運転時間を一定に制御し、庫内温度が適正に制御できる。
【００１１】
請求項２に記載の発明は、請求項１の発明において、前記冷却板の穴部の上下に前記冷却パイプを配置したものであり、感温筒の上下の冷却パイプから冷却板が均等に冷却されるため、感温筒内部に挿入されている感温体の温度検知が安定することにより、冷蔵庫の運転時間を一定に制御し、庫内温度が適正に制御できる。
【００１２】
以下、本発明の実施の形態について、図面を参照しながら説明する。なお、従来と同一構成については、同一符号を付して詳細な説明を省略する。また、この実施の形態によってこの発明が限定されるものではない。
【００１３】
（実施の形態１）
図１は、本発明の実施の形態１による冷蔵庫の感温筒の固定装置の正面図である。図２は、同実施の形態の冷蔵庫の感温筒の固定装置の図１Ａ−Ａ´断面図である。
【００１４】
図１、図２に示すように、冷却板１１の突起部１１ａの内箱３側に感温筒７の先端が冷却板１１の穴部１１ｂから突出するように配置し、冷却板１１の穴部１１ｂ側先端より感温体８を長くするように構成される。例えば感温体８の全長が一定していなくても、冷却板１１と接している感温筒７内部に挿入されている感温体８の長さは一定となり、感温体８の温度検知が安定することにより、冷蔵庫の運転時間を一定に制御し、庫内温度が適正に制御できるという点から好ましい。
【００１５】
（実施の形態２）
図３は、本発明の実施の形態２による冷蔵庫の感温筒の固定装置の正面図である。図４は、同実施の形態の冷蔵庫の感温筒の固定装置の図３Ａ−Ａ´断面図である。
【００１６】
図３、図４に示すように、穴部１１ｂの上下に冷却パイプ６を配置した冷却板１１の突起部１１ａの内箱３側に感温筒７の先端が冷却板１１の穴部１１ｂから突出するように配置し、冷却板１１の穴部１１ｂ側先端より感温体８を長くするように構成される。例えば感温体８の全長が一定していなくても、冷却板１１と接している感温筒７内部に挿入されている感温体８の長さが一定となることに加えて、感温体８の上下の冷却パイプ６から均等に感温筒７内部に挿入されている感温体８が冷却されるため、感温体８の温度検知が安定することにより、冷蔵庫の運転時間を一定に制御し、庫内温度が適正に制御できるという点から好ましい。
【産業上の利用可能性】
【００１７】
以上のように、本発明にかかる冷蔵庫は、感温体の温度検知が安定することで、冷蔵庫の運転時間を一定に制御し、庫内温度が適正に制御でき、直冷タイプの冷却器を用いた冷蔵庫等の冷却機器に有効に適用できる。
【図面の簡単な説明】
【００１８】
【図１】本発明による冷蔵庫の感温筒の固定装置の実施の形態１の正面図
【図２】同実施の形態の冷蔵庫の感温筒の固定措置の図１Ａ−Ａ´断面図
【図３】本発明による冷蔵庫の感温筒の固定装置の実施の形態２の正面図
【図４】同実施の形態の冷蔵庫の感温筒の固定措置の図３Ａ−Ａ´断面図
【図５】従来の冷蔵庫の感温筒の固定装置の実施の形態の正面図
【符号の説明】
【００１９】
２    貯蔵室
３    内箱
６    冷却パイプ
７    感温筒
８    感温体
１１    冷却板
１１ｂ    穴部
【図１】
2005172296.tif 000003
【図２】
2005172296.tif 000004
【図３】
2005172296.tif 000005
【図４】
2005172296.tif 000006
【図５】
2005172296.tif 000007